(57)【要約】  薬物送達デバイスであって、本体および本体内に配置された可動の構成要素と、選択された投与量に応じて本体内の可動の構成要素の位置を設定する、投与量選択および注射機構と、本体内の可動の構成要素の位置を示す信号を出力するように構成された非接触センサと、非接触センサから出力された信号を受信し、信号に基づいて、可動の構成要素が、選択されていない投与量に対応する本体内の初期位置にあるか、または選択された投与量位置にあるかを判定するように構成されたプロセッサであって、可動の構成要素のその位置が選択された投与量位置から初期位置に戻るように変化したと判定したとき、プロセッサは、薬物送達デバイスの休止時間に関して使用者に通知するインジケーションを出力させるように構成される、プロセッサとを含む、薬物送達デバイス。【選択図】図１
2021507769.tif 000002
【特許請求の範囲】
【請求項１】
薬物送達デバイスであって：
本体および該本体内に配置された可動の構成要素と；
選択された投与量に応じて本体内の可動の構成要素の位置を設定する、投与量選択および注射機構と；
本体内の可動の構成要素の位置を示す信号を出力するように構成された非接触センサと；
非接触センサから出力された信号を受信し、該信号に基づいて、可動の構成要素が、選択されていない投与量に対応する本体内の初期位置にあるか、または選択された投与量位置にあるかを判定するように構成されたプロセッサであって、可動の構成要素のその位置が選択された投与量位置から初期位置に戻るように変化したと判定したとき、プロセッサは、薬物送達デバイスの休止時間に関して使用者に通知するインジケーションを出力させるように構成される、プロセッサと；
を含み、
ここで、非接触センサは静電容量式センサであり、本体と、可動の構成要素と、投与量選択および注射機構とは、少なくとも、静電容量式センサの誘電体層の一部を形成し；
プロセッサは、投与量が選択されておらず、可動の構成要素が本体内の初期位置にあるとき、静電容量式センサの静電容量を測定し、測定された静電容量を基準値として記憶し、投与量が選択されるときの静電容量変化を検出し、注射に起因する更なる静電容量変化を検出し、測定された静電容量が基準値と相関しているとき、注射の終了を決定するように更に構成される、前記薬物送達デバイス。
【請求項２】
表示ユニットを更に含み、ここで、インジケーションを出力させることは、１つまたはそれ以上のグラフィック要素を表示ユニット上に表示させることを含み、グラフィック要素は休止時間の進行を伝える、請求項１に記載の薬物送達デバイス。
【請求項３】
送信ユニットを更に含み、ここで、インジケーションを出力させることは、１つまたはそれ以上の信号を送信ユニットによって送信させることを含み、信号は休止時間の進行を伝える、請求項１または２に記載の薬物送達デバイス。
【請求項４】
送信ユニットは、データを１つまたはそれ以上の外部デバイスに送信するための無線ユニットである、請求項３に記載の薬物送達デバイス。
【請求項５】
本体と、可動の構成要素と、投与量選択および注射機構の部材とは、可動の構成要素が、選択されていない投与量に対応する本体内の初期位置にあるか、または選択された投与量位置にあるかを検出するのに十分な静電容量式センサの誘電率を得るように選択された１つまたはそれ以上の材料から作られ、１つまたはそれ以上の選択された材料は、プラスチックおよび特に金属を含む、請求項１〜４のいずれか１項に記載の薬物送達デバイス。
【請求項６】
投与量選択および注射機構の少なくとも１つの可動の部材は金属から作られ、該金属は、静電容量式センサの誘電特性に影響を及ぼす場合があり、投与量選択機構の少なくとも１つの金属部材は、特に、薬物送達デバイスの注射機構の駆動ばねである、請求項５に記載の薬物送達デバイス。
【請求項７】
静電容量式センサは、少なくとも２つの導電性部材の対向するセットを含み、第１の部材は、本体の外側の少なくとも一部の上に配置される層である、請求項１〜６のいずれか１項に記載の薬物送達デバイス。
【請求項８】
少なくとも２つの導電性部材のうちの第２の部材は、本体の外側の少なくとも一部の上に、第１の部材に対向して配置される層である、請求項７に記載の薬物送達デバイス。
【請求項９】
少なくとも２つの導電性部材のうちの第２の部材は、本体内に、第１の部材に対向して配置され、本体と、可動の構成要素と、投与量選択および注射機構とは、少なくとも部分的に、第１の部材と第２の部材との間に配置される、請求項７または８に記載の薬物送達デバイス。
【請求項１０】
投与量選択および注射機構は、選択された投与量のためのディスプレイを含み、該ディスプレイは、投与量選択のための回転可能な構成要素に連結され、該回転可能な構成要素は、本体に対し可動の構成要素を変位させるための変位機構に連結される、請求項１〜９のいずれか１項に記載の薬物送達デバイス。
【請求項１１】
プロセッサは、薬物送達デバイスの休止時間の終了を使用者に通知するインジケーションを出力させるように更に構成される、請求項１〜１０のいずれか１項に記載の薬物送達デバイス。
【請求項１２】
プロセッサは、薬物送達デバイスの休止時間の開始および／または終了時にインジケータ信号を出力させるように構成される、請求項１〜１１のいずれか１項に記載の薬物送達デバイス。
【請求項１３】
薬物送達デバイスは動力式の自動注射器であり、動力式の自動注射器の投薬機構は、予圧されたばねによって動力を供給される、請求項１〜１２のいずれか１項に記載の薬物送達デバイス。
【請求項１４】
プロセッサは、注射に関する情報、特に注射の日時を記録するように更に構成される、請求項１〜１３のいずれか１項に記載の薬物送達デバイス。
【請求項１５】
薬剤を含む、請求項１〜１４のいずれか１項に記載の薬物送達デバイス。
【発明の詳細な説明】
【技術分野】
【０００１】
本開示は、薬剤注射後に、休止時間、たとえば経過した休止時間を使用者に通知するように構成される薬物送達デバイスに関する。
【背景技術】
【０００２】
薬剤の注射による定期的な治療を必要とする様々な疾病が存在する。そのような注射は、医療従事者または患者自身によって適用される注射デバイスを使用することによって実行することができる。
【０００３】
注射デバイス（すなわち、医薬品容器から薬剤を送達することが可能なデバイス）は、典型的には、２つの種類、すなわち手動デバイスおよび自動注射器に分けられる。
【０００４】
手動デバイスでは、使用者は、針に流体を通すために、機械的エネルギーを提供しなければならない。これは、典型的には、何らかの形態のボタン／プランジャによって行われ、注射中、使用者はこれを連続して押下しなければならない。この手法には使用者にとって多数の欠点がある。使用者がボタン／プランジャを押下するのを止めた場合、注射も止まる。これは、デバイスが適切に使用されなかった場合（すなわち、プランジャがその終了位置まで完全に押下されなかった場合）、使用者が送達する用量が不足する可能性があることを意味する。特に患者が高齢である場合、または器用さに問題がある場合、注射力が使用者にとって大きすぎることがある。
【０００５】
ボタン／プランジャの伸長が長くなりすぎることもある。したがって、完全に伸長したボタンに到達することが使用者にとって不便になる可能性がある。注射力とボタンの伸長とが組み合わさると、手の揺れ／震えが生じる可能性があり、挿入された針が動くときに不快さが増大する。
【０００６】
自動注射デバイスは、注射治療の自己投与を患者にとってより容易にすることを目的とする。自己投与式の注射によって届けられる現在の治療には、糖尿病（インスリンおよびより新しいＧＬＰ−１クラスの薬物の両方）、偏頭痛、アレルギー、ホルモン治療、抗凝血剤などのための薬物が含まれる。自動注射デバイスを使用して、特定の救命薬物を単回の用量で送達することができる。たとえば、自動注射デバイスは、アナフィラキシーのリスクがある人に処方されることが多い。自動注射デバイスはまた、軍隊において、化学兵器から人員を保護するために使用されることが多い。代替的に、自動注射器は、たとえば多発性硬化症、関節リウマチ、貧血を患っている人に対して、処方された治療スケジュールに従って薬剤を投与するために使用される。
【０００７】
自動注射器は、標準的なシリンジからの非経口薬物送達に伴う動作に、完全または部分的に取って代わるデバイスである。これらの動作には、保護シリンジキャップの取外し、患者の皮膚への針の挿入、薬剤の注射、針の取外し、針の遮蔽、およびデバイスの再利用の防止を含むことができる。これにより、手動デバイスの欠点の多くが克服される。必要とされる使用者の力／ボタンの伸長、手の震え、不完全な用量を送達する可能性が低減される。多数の手段によって、たとえばトリガボタンまたは針がその注射の深さに到達する動作によって、トリガを実行することができる。デバイスの中には、流体を送達するためのエネルギーがばねによって提供されるものもある。
【０００８】
自動注射器は、使い捨てまたは単回使用のデバイスとすることができ、１用量の薬剤を送達するためにしか使用することができず、使用後は廃棄しなければならない。他のタイプの自動注射器は、再利用可能とすることもできる。通常、そのような自動注射器は、使用者が標準的なシリンジを装填および除去することができるように配置される。再利用可能な自動注射器を使用して、複数の非経口薬物送達を実行することができ、シリンジは、使用されて自動注射器から除去された後に廃棄される。シリンジは、追加の機能性を提供するために、追加の部材で包装することができる。
【０００９】
典型的なシナリオでは、自動注射器を使用する薬剤用量の注射によって、たとえば毎日、毎週、隔週、または毎月、患者自身が疾病を治療することができる。
【００１０】
薬物の適正な投与およびその終了は、薬物の安全性および効果（ファーマコビジランス）にとって重要である。注射デバイスおよび適用時間の監視によって、使用者による投与の失敗を最小限にすることができる。
【００１１】
典型的な患者による失敗には、次のものが挙げられる：
１．使用者は、次の注射に対する適正な満期日を忘れることがある。これは特に、医薬品の間隔が１日より長い場合、たとえば週２回、１日おき、隔週、またはたとえば１週目は２回、２週目は１日おき、３週目以降２日、２日、３日の間隔などの治療特有の間隔の場合に当てはまる。
２．使用者は、自動注射器のキャップを取り外してから注射を実行するまでの間に時間をあけすぎて、その結果、針の詰まりおよび／またはデバイスの機能停止が生じることがある。
３．使用者が、注射の終了後に保持時間（「休止時間」としても知られる）を実施しない。
【発明の概要】
【発明が解決しようとする課題】
【００１２】
本明細書は、患者が注射を正確に実行するのを支援することができる、薬物送達デバイス、たとえば１ショット自動注射器について記載する。
【課題を解決するための手段】
【００１３】
第１の態様は、薬物送達デバイスを提供し、薬物送達デバイスは、本体および本体内に配置された可動の構成要素と、選択された投与量に応じて本体内の可動の構成要素の位置を設定する、投与量選択および注射機構と、本体内の可動の構成要素の位置を示す信号を出力するように構成された非接触センサと、非接触センサから出力された信号を受信し、信号に基づいて、可動の構成要素が、選択されていない投与量に対応する本体内の初期位置にあるか、または選択された投与量位置にあるかを判定するように構成されたプロセッサであって、可動の構成要素のその位置が選択された投与量位置から初期位置に戻るように変化したと判定したとき、プロセッサは、薬物送達デバイスの休止時間に関して使用者に通知するインジケーションを出力させるように構成される、プロセッサとを含む。
【００１４】
これによって、薬物送達デバイスが、注射の終了後の休止時間に関して使用者に通知し、使用者による薬物送達デバイスの使用を改善するのに役立つことが可能になる。非接触センサを用いることにより、薬物送達デバイスの機械的構成要素の摩擦を増大させることなく、薬物送達デバイスを監視することが可能になる。薬物送達デバイス内の可動の構成要素ならびに投与量選択および注射機構は、薬物送達デバイスの設計に既に存在しており、したがって、本明細書に開示されるデバイスを実施するために、この薬物送達デバイスがどのように動作するかに対する大きな変更は必要とされない。このため、薬物送達デバイスの製造の複雑度の増大は僅かである。
【００１５】
薬物送達デバイスは、表示ユニットを更に含むことができる。インジケーションを出力させることは、１つまたはそれ以上のグラフィック要素を表示ユニット上に表示させることを含むことができ、グラフィック要素は休止時間の進行を伝える。このため、使用者は、注射の進行および注射の終了後にデバイスをどれだけ長く保持するべきかを容易に理解することができる。
【００１６】
薬物送達デバイスは、送信ユニットを更に含むことができる。インジケーションを出力させることは、１つまたはそれ以上の信号を送信ユニットによって送信させることを含むことができ、信号は休止時間の進行を伝える。送信信号は、使用者に、表示支援情報、たとえばヒントなどの薬物送達デバイスの正しい利用について通知するために、たとえば、コンピュータまたはスマートフォンなどの使用者の外部電子デバイスによって受信することができる。
【００１７】
送信ユニットは、データを１つまたはそれ以上の外部デバイスに送信するための無線ユニットとすることができる。送信データは、特に、薬物送達デバイスの休止時間データおよび識別子を含む。たとえば、休止時間データは、使用者のコンピュータまたはスマートフォンにワイヤレスで、たとえばブルートゥース（登録商標）接続を介して送信することができる。使用者は、たとえば、薬物送達デバイスの使用を支援および監視するためのプログラムを自身のコンピュータまたはスマートフォンにインストールすることができ、プログラムは、薬物送達デバイスの送信ユニットから受信したデータを処理することができる。
【００１８】
非接触センサは静電容量式センサとすることができる。静電容量式センサは、特にセンサ部材として薬物送達デバイスの構成要素のうちのいくつかを用いているとき、比較的低い技術的コストで実施することができる。たとえば、本体と、可動の構成要素と、投与量選択および注射機構とが、少なくとも、静電容量式センサの誘電体層の一部を形成することができる。このとき、本体内の可動の部材の位置が、本体内の空気量の変化に起因して、測定静電容量に影響を及ぼす場合があり、すなわち、可動の部材が本体から外に離れて動かされるとき、本体内の空気量は、可動の部材が本体内に動かされる場合よりも大きい。変化する空気量は、測定可能な静電容量の変化を引き起こす場合がある。
【００１９】
可動の構成要素によって静電容量センサの検出可能な静電容量変化を得るために、本体と、可動の構成要素と、投与量選択および注射機構の部材とは、可動の構成要素が、選択されていない投与量に対応する本体内の初期位置にあるか、または選択された投与量位置にあるかを検出するのに十分な静電容量式センサの誘電率を得るように選択された１つまたはそれ以上の材料から作られ、１つまたはそれ以上の選択された材料は、プラスチックおよび特に金属を含むことができる。換言すれば、本体と、可動の構成要素と、投与量選択および注射機構の部材とに用いられる材料は、それらの誘電率が検出可能な静電容量を生成するように、および可動の構成要素の動きが誘電率を検出可能な範囲内で変えることができるように選択することができる。
【００２０】
特に、投与量選択および注射機構の少なくとも１つの可動の部材は金属から作られ、少なくとも１つの金属部材は、静電容量式センサの誘電特性に影響を及ぼす場合がある。たとえば、投与量選択機構の少なくとも１つの金属部材は、薬物送達デバイスの注射機構の駆動ばねとすることができる。
【００２１】
静電容量式センサは、少なくとも２つの導電性部材の対向するセットを含むことができ、第１の部材は、本体の外側上の少なくとも一部に配置される層である。少なくとも２つの導電性部材のうちの１つまたはそれ以上は、薬物送達デバイスのラベルと一体化するかまたはラベルの下に配置することができる。たとえば、第１の部材は、本体の一部の上に配置された金属層とすることができる。少なくとも２つの導電性部材の第２の部材は、本体の外側の少なくとも一部の上に、第１の部材に対向して配置されている層とすることができる。たとえば、第２の部材は、第１の部材と同様の、本体の第１の部材が層にされた側と反対側に堆積された金属層とすることができ、それによって、本体と、可動の構成要素と、投与量選択および注射機構のほとんどの部材とは、２つの金属層間に配置され、測定可能な静電容量を得ることができる。
【００２２】
少なくとも２つの導電性部材のうちの第２の部材は、本体内に、第１の部材と反対側に配置することもでき、本体と、可動の構成要素と、投与量選択および注射機構とは、少なくとも部分的に第１の部材と第２の部材との間に配置される。たとえば、第２の部材は、金属内側部材、たとえばばねなどの、投与量選択および注射機構の一部とすることができる。
【００２３】
プロセッサは、投与量が選択されておらず、可動の構成要素が本体内の初期位置にあるとき、静電容量式センサの静電容量を測定し、測定された静電容量を基準値として記憶し、投与量が選択されるときの静電容量変化を検出し、注射に起因する更なる静電容量変化を検出し、測定された静電容量が基準値と相関しているとき、注射の終了を決定するように構成することができる。
【００２４】
投与量選択および注射機構は、選択された投与量のためのディスプレイを含むことができ、ディスプレイは、投与量選択のための回転可能な構成要素に連結することができ、回転可能な構成要素は、本体に対し可動の構成要素を変位させるための変位機構に連結することができる。回転可能な構成要素を回転させることによって、使用者は、注射されるある投与量を選択することができる。この回転および投与量選択は、変位機構によって、本体に対する可動の構成要素のある変位量に移転される。特に、より高い投与量が選択されると、変位機構は可動の構成要素をより本体の外に動かすことができ、それによって、本体内の空気量が増大し、それに応じて測定可能な静電容量が変化する。
【００２５】
プロセッサは、薬物送達デバイスの休止時間の終了を使用者に通知するインジケーションを出力させるように更に構成することができる。インジケーションは、使用者に可視および／もしくは可聴のシグナリング、またはスマートフォンなどの外部デバイスに送信される信号とすることができ、その外部デバイス自体が使用者に休止時間の終了をシグナリングすることができる。
【００２６】
プロセッサは、薬物送達デバイスの休止時間の開始および／または終了時にインジケータ信号を出力させるように構成することができる。インジケータ信号は、たとえば、ＬＥＤの起動などの可視および／または可聴信号、または特徴音の出力とすることができる。
【００２７】
薬物送達デバイスは動力式の自動注射器とすることができ、動力式の自動注射器の投薬機構は、予圧されたばねによって動力を供給される。
【００２８】
プロセッサは、注射に関する情報、特に注射の日時を記録するように更に構成することができる。
【００２９】
本開示の第２の態様は、本明細書に開示される、薬剤を含む薬物送達デバイスに関する。
【図面の簡単な説明】
【００３０】
【図１】投与量選択を有するペンの形態の注射デバイスの図。
【図２】注射デバイスのステータスの静電容量検知のための注射デバイスおよびセンサ構成要素の概略図。
【図３】注射デバイスの電子構成要素のブロック図。
【図４ａ】注射デバイスのステータスの静電容量検知のための補助デバイスの注射デバイスおよびセンサ構成要素の概略図。
【図４ｂ】注射デバイスの注射処置中の本体内の可動の構成要素の位置に依拠した測定静電容量を示すグラフ。
【発明を実施するための形態】
【００３１】
以下において、自動注射器を参照して実施形態が説明される。しかしながら、本開示はそのような用途に限定されず、他の薬剤を排出する注射デバイス、またはシリンジ、充填済みシリンジ、無針注射器および吸入器などの他のタイプの薬物送達デバイスを用いても等しく展開することができる。
【００３２】
ここで、図１を参照して、実施形態による注射デバイス１０が説明される。いくつかの実施形態では、注射デバイス１０は使い捨て自動注射器１０である。自動注射器１０は、近位端Ｐおよび遠位端Ｄを有する。近位端Ｐは、注射中、患者の注射部位に向けて方向付けられる一方で、遠位端Ｄは、注射部位から離れるように方向付けられる。
【００３３】
自動注射器１０は、本体９と、キャップ１２（本明細書において、外側ニードルキャップまたはＯＮＣ１２とも呼ばれる）と、更なるキャップ１２’（本明細書において、内側ニードルキャップまたはＩＮＣ１２’とも呼ばれる）とを含む。本体９は、外側ハウジング１１を含む。外側ハウジング１１は、細長いチューブである。外側ハウジング１１は、液体薬剤１６を含有するカートリッジまたはシリンジ１８を支持するカートリッジホルダまたはシリンジホルダ（図示せず）を含む。以後、説明は、カートリッジホルダ（図示せず）によって支持されるカートリッジ１８について言及する。
【００３４】
外側ハウジング１１は、注射中に薬剤１６の選択された投与量を投薬させるための投与量選択および注射または投薬機構（図示せず）も収容する。投薬される投与量は、自動注射器１０の遠位端Ｄにおける回転ノブ２０によって選択することができる。選択は、外側ハウジング１１内の窓２０’’を通じて回転ノブ２０と連結された機械的目盛２０’上に示される。
【００３５】
中空針１７は、カートリッジ１８の内部容積と連通し、注射中の液体薬剤１６のための導管としての役割を果たす。針１７およびカートリッジ１８は、互いに対し、および本体９に対し固定位置にある。ストッパ、プランジャ、ピストンまたは栓１４は、投薬機構の作動下で針１７を通じてカートリッジ１８内に含まれる薬剤を排出するためにカートリッジ１８内で移動可能である。
【００３６】
投薬機構は、カートリッジ１８のピストン１４に機械的に連結される。投薬機構は、カートリッジ１８に沿って軸方向に近位方向にピストンを動かし、針１７を通じて薬剤１６を投薬するように構成される。投薬機構は、使用者によって提供された作動入力に応答してピストン１４に力を印加するように協働する構成要素を含む。ここで、ピストン１４に対する力の印加をトリガする作動入力は、自動注射器１０の遠位端に位置する用量投薬ボタン１３によって受けられる。投薬機構は、投薬ボタン１３に機械的に連結される。
【００３７】
本体９は、外側ハウジング１１の近位端におけるキャップ支持体１９も含む。キャップ支持体は、外側ハウジング１１と同心円状であり、より小さな直径を有することができる。キャップ支持体１９は、ハウジング１１の近位端から延びる。ＯＮＣ１２は、本体９の近位端を閉じ、針１７をカバーするように、キャップ支持体１９上で受けられる。ＯＮＣ１２は、円筒形壁２１と端壁２２とを含む。ＯＮＣ１２が本体９上に位置する状態で、円筒形壁２１の内面は、キャップ支持体１９の外面と密接関係で当接し、それによってＯＮＣ１２がこの外面上の取り付け位置で保持される。
第１の技術審査の終了
【００３８】
薬剤１６を注射するために、ＯＮＣ１２およびＩＮＣ１２’は、使用者によってデバイス１０から除去される。次いで、使用者によって、所望の投与量が機械的目盛２０’上に表示されるまで回転ノブ２０を回すことにより、注射される薬剤１６の投与量が選択される。次に、自動注射器１０の近位端が患者の注射部位に接して配置される。患者は、使用者または別の人物である場合がある。次に、使用者は投薬ボタン１３を作動させる。これによって、投薬機構に、ピストン１４を押し進めさせて、カートリッジ１８から針１７を通じて薬剤を患者の注射部位内に排出させる。
【００３９】
カートリッジ１８は透明であり、カートリッジ１８内に含まれる薬剤１６が見えるように、ハウジング１１内にカートリッジ１８と同じ場所に窓１５が設けられる。自己注射器の使用者は、調査により、注射中に薬剤１６の全体量がカートリッジ１８から排出されたか否かを判定することが可能である。
【００４０】
ハウジング１１にラベルが設けられる。ラベルは、注射デバイス１０に含まれる薬剤に関する情報１００を含み、これには薬剤を識別する情報が含まれる。薬剤を識別する情報１００は、テキストの形態をとることができる。薬剤を識別する情報１００は、色の形態をとることもできる。薬剤を識別する情報１００は、バーコード、ＱＲコードなどに符号化することもできる。薬剤を識別する情報１００は、白黒パターン、カラーパターン、またはシェーディングの形態をとることもできる。
【００４１】
自動注射器１０の近位端Ｐはペンキャップ９’を用いて保護することができ、ペンキャップは、自動注射器１０の使用後に近位端Ｐを覆うように本体９に装着することができる。
【００４２】
図２は、注射デバイスのステータスの静電容量検知のための注射デバイスおよびセンサ構成要素の簡略化された概略図を示す。
【００４３】
注射デバイスから、本体９および本体内の可動の構成要素２３が示される。可動の構成要素２３は、投与量選択および注射もしくは投薬機構の１つもしくはそれ以上の部材を含むことができるか、または投与量選択および注射もしくは投薬機構全体を含むことができる。可動の構成要素２３は、少なくとも金属部材も含むことができるのに対し、全ての他の部材および本体９は、プラスチック、たとえばＡＢＳ（アクリロニトリルブタジエンスチレン）またはＰＯＭ（ポリオキシメチレン）から作られる。金属部材は、たとえば、ばねまたはスリーブとすることができる。可動の構成要素２３の端部において、投与量選択のための回転ノブ２０および投薬ボタン１３が配置される。
【００４４】
ノブ２０を回転することによって、使用者は、投薬される用量を選択することができる。ノブ２０の回転の結果として、本体９内の構成要素２３の、その長手方向軸に沿った動きが生じる。このため、本体９に対する構成要素２３の位置が変化する。たとえば、ノブ２０の時計回りの回転の結果、構成要素２３を本体９の外側に、図２では、図２の中央に示すように右方向に動かすことができ、ここで、構成要素２３は本体９の外側に広げられる。対照的に、ノブ２０の反時計回りの回転により、ノブ２０が本体９の縁部に当接し、本体９内の構成要素２３の更なる動きの範囲を定めるまで、構成要素２３を本体９内に動かすことができる。
【００４５】
本体９の外側は、互いに対向して配置された２つの金属層２１、２１’を含む。双方の層２１、２１’が、本体９の外側の一部のみを覆うことができ、各々が、注射デバイスの電子回路と接続するための電気コネクタ２２、２２’を含むことができる。層２１、２１’は、本体９の長手方向軸に沿ってある範囲にわたって延びることができ、この範囲は、図２において、上部の両方向矢印および破線の垂直線によって示されるように、本体９内の可動の構成要素２３の変位のほぼ全体を含む。
【００４６】
選択された投与量に応じて回転ノブ２３を回転させることによる、本体９に対する可動の構成要素２３の変位により、本体９内のより小さな空気量２４が、より大きな空気量２４’に変化する。対照的に、回転ノブ２０の回転を通じてそれぞれの投与量を選択することにより、本体９内で可動の構成要素２３がより深くに動かされるとき、空気量２４’は空気量２４まで低減される。
【００４７】
空気量２４、２４’の変化および本体９内の可動の構成要素２３の変位は、金属層２１、２１’間に形成される誘導体層の誘電率に影響を及ぼす。ここでもまた、この結果、金属層２１、２１’およびそれらの間の誘電体層によって形成され、空気量２４、２４’、本体９および可動の構成要素２３によって形成されるコンデンサの静電容量が変化する。図２の下部の図は、可動の構成要素２３の変位にわたる静電容量の変化を表す。位置（１）において、可動の構成要素２３は完全に本体９内に動かされ、空気量２４は可能な限り小さいため、静電容量は高い。このため、誘電率は位置（２）よりも高い。位置（２）では、可動の構成要素２３は完全に本体９の外に動かされ、空気量２４’は可能な限り大きい。したがって、静電容量は、可動の構成要素２３の位置（１）から可動の構成要素２３の位置（２）まで減少する。静電容量のこの変化は測定可能であり、以下で説明されるように、使用者に休止時間を通知するために用いることができる。
【００４８】
図３は、金属層２１、２１’およびそれらの間の構成要素によって形成されるコンデンサの静電容量を測定するために装備された図１の注射デバイス１０などの注射デバイスの電子構成要素のブロック図を示す。電子構成要素はプロセッサ２５を含むことができ、このプロセッサは、たとえば、マイクロプロセッサ、デジタル信号プロセッサ（ＤＳＰ）、特定用途向け集積回路（ＡＳＩＣ）、フィールドプログラマブルゲートアレイ（ＦＰＧＡ）などとすることができる。プロセッサ２５は、プログラムメモリ２６０に記憶されたプログラムコード（たとえば、ソフトウェアまたはファームウェア）を実行すると共に、たとえば中間結果を記憶するために、メインメモリ２６１を使用する。メインメモリ２６１はまた、実行された排出／注射のログブックを記憶するために使用することができる。プログラムメモリ２６０は、たとえば読取り専用メモリ（ＲＯＭ）とすることができ、メインメモリは、たとえばランダムアクセスメモリ（ＲＡＭ）とすることができる。
【００４９】
注射デバイスは、場合により、少なくとも１つの入力トランスデューサ、たとえばボタン（図３に示されていない）を含むことができる。この入力トランスデューサにより、使用者が注射デバイスの電子回路をオン／オフすること、動作をトリガすること（たとえば、別のデバイスとの接続もしくはペアリングを確立させるために、および／または注射デバイスから別のデバイスへの情報の伝達をトリガするために）、または何かを確認することが可能になる。いくつかの他の実施形態では、注射デバイスは、ＯＮＣが注射デバイスに付けられたか否かを検出するセンサ（図示せず）を介して自動的にオン／オフすることができる。
【００５０】
プロセッサ２５は、液晶ディスプレイ（ＬＣＤ）または電子インクディスプレイとして具現化することができる表示ユニット２９を制御する。表示ユニット２９は、注射デバイスの使用者に対し、たとえば注射デバイスの現在の設定、または付与予定の次の注射についての情報を表示するために使用される。表示ユニット２９はまた、たとえば使用者の入力を受けるために、タッチスクリーンディスプレイとして具現化することもできる。
【００５１】
プロセッサ２５は、静電容量式センサ２００（金属層２１、２１’およびそれらの間の構成要素によって形成され、接続部２２、２２’を介してプロセッサ２５に接続される）も制御する。静電容量式センサ２００から受信される測定値は、注射デバイス１０の本体９内の可動の構成要素２３の位置を示す。静電容量式センサ２００は、センサと検知される構成要素のうちの任意のものとの間の接触なしに、取り付けられた注射デバイス１０内の構成要素の絶対位置および動きを検知することができるため、まとめて非接触センサと呼ぶことができる。プロセッサ２５は、静電容量式センサ２００から、接続部２２、２２’を介してこれらの信号（電圧測定値）を受信し、注射デバイス１０の動作状態を推測し、注射デバイス１０の動作のタイミングに関する情報を、メインメモリ２６１に記録させ、かつ／または無線ユニット２７を介して外部デバイスに送信させる。センサの動作は、図４に関してより詳細に説明される。
【００５２】
プロセッサ２５は、無線によって別のデバイスとの間で情報を送信および／または受信するように構成されている無線ユニット２７を制御する。このような伝送は、たとえば、無線伝送または光伝送に基づくことができる。いくつかの実施形態では、無線ユニット２８はブルートゥース（登録商標）トランシーバである。代替的に、無線ユニット２８は、たとえばケーブルまたはファイバ接続を介した有線連結によって別のデバイスとの間で情報を送信および／または受信するように構成された有線ユニットによって置き換えられるか、または補完することができる。データが送信されるとき、転送されるデータ（値）の単位は、明示的または暗黙的に定義することができる。たとえば、インスリン用量の場合、常に国際（ＩＵ）単位を使用することができ、またはそうでない場合、使用される単位を明示的に、たとえばコード化された形で転送することができる。送信データは、注射に関連付けられたタイムスタンプも含むことができる。
【００５３】
プロセッサ２５は、外側ニードルキャップ１２が存在するか否かを検出する、すなわち外側ニードルキャップ１２が注射デバイス１０に連結されているか否かを検出するように動作可能であるＯＮＣセンサ（図示せず）から入力を受信することができる。電池２８１が、プロセッサ２５および他の構成要素に電源２８０から電力を供給する。ＯＮＣ１２の除去はＯＮＣセンサによって検出され、ウェイクアップまたはスイッチオントリガとして用いることができる。このため、注射デバイスは、ＯＮＣ１２が除去されるとき、自動的にオンになり、監視プロセスを開始することができる。同様に、ＯＮＣ１２が交換されるとき、注射デバイスを自動的に電源オフにし、これにより電池の電力を節減することができる。
【００５４】
このため、図３の電子回路は、注射デバイス１０の状態および／または使用に関する情報を決定することが可能である。この情報は、デバイスの使用者による使用のためにディスプレイ２９上に表示することができる。情報は、注射デバイス１０自体によって処理することができるか、または少なくとも部分的に別のデバイス（たとえば、血糖監視システムまたはコンピューティングデバイス）に提供することができる。
【００５５】
プロセッサ２５は、ＯＮＣセンサから信号を受信し、ＯＮＣ１２が注射デバイス１０に取り付けられていないときに検出するように構成することができる。使用者が、ＯＮＣ１２が取り付けられていない状態で注射デバイスを収納する場合、針１７が詰まる可能性がある。したがって、注射デバイス１０は、注射動作に続いて所定の長さの時間にわたってＯＮＣ１２が取り付けられていないことをプロセッサ２５が検出する場合、インジケータ信号を生成するように構成することができる。インジケータ信号は、無線ユニット２７を介して外部使用者デバイスに送信することができ、それによって、使用者が注射デバイス１０から離れた場合であっても、ＯＮＣ１２を交換する必要性について使用者にアラートすることができる。代替的にまたは更に、インジケータ信号は、注射デバイス１０が表示ユニット２９上に単語および／もしくはグラフィックを表示することまたは音を生成することを含むことができる。
【００５６】
注射デバイス１０は、金属層２１、２１’およびそれらの間の構成要素によって形成される静電容量式センサを含む。ここで図４を参照して、静電容量式センサの動作を更に詳細に説明する。
【００５７】
図４ａは、注射デバイスが注射前構成および注射後構成（起動前および起動後とも呼ばれる）にあるときの注射デバイス１０を通じた断面を図式的に示す。注射デバイス１０は、注射デバイス１の組み立て中に予圧された駆動ばね４００を含む。駆動ばね４００は、注射が実行されるまで、この予圧された状態に維持される。使用者が、用量投薬ボタン１３を押すことによって注射動作をトリガするとき、投薬機構が解放され、駆動ばねがカートリッジ１８から薬剤を投薬するために復元する。
【００５８】
静電容量式センサ２００の様々な構成要素が図４ａの下側の画像に概略的に示される。静電容量式センサ２００は、少なくとも１つの導電性プレートの対向するセット（図２では金属層２１、２１’）を含む。プレートは、コンデンサを形成するように回路内で接続される。注射デバイス１０は、プレート間の空間を占有し、コンデンサの誘電体層として機能する。静電容量式センサ２００は、プロセッサ２５に信号を送信し、この信号により、プロセッサ２５は有効静電容量を決定することができる。たとえば、プロセッサ２５は、静電容量式センサ２００の１つのプレートへの電荷の印加を制御し、次に静電容量式センサ２００が放電するのにかかる時間を測定することができる。
【００５９】
図４ａの上側の画像は、注射が実行される前の駆動ばね４００の概算位置を示す。駆動ばね４００は、ばねのコイルが密集または接触した状態で圧縮される。図４ａにおける下側の画像は、注射プロセス中に内部に蓄積されたエネルギーが解放された後の駆動ばね４００の概算位置を示す。駆動ばねのコイルは更に間隔を空けられている。いくつかの実施形態では、駆動ばねは金属である。
【００６０】
図４ｂは、注射プロセス前、注射プロセス中および注射プロセス後の静電容量と電荷との間の例示的な関係を示すグラフである。注射デバイス１が用いられる前、コンデンサプレート間の領域内に、より大量の駆動ばねが存在し、投与量が選択されていないことにより、結果として可動の構成要素２３が完全に注射デバイス１０の本体９内に位置するため、静電容量式センサ２００によって測定される静電容量は比較的高い。次に、使用者は、回転ノブ２０を回転させ、可動の構成要素２３を、注射デバイス１０の本体９の外に動かすように変位させることによって、注射される投与量を選択し、この結果、投与量が設定されるまで（図４ｂにおける時点「用量設定」）、静電容量式センサ２００によって測定される静電容量が減少する。駆動ばね４００は、可動の構成要素２３の一部であり、本体の外に動かされる。薬剤排出プロセスの開始点および終了点が注射時間矢印によって示される。注射および薬剤排出は、使用者が投薬ボタン１３を押すときに開始される。これにより、駆動ばね４００を伸ばし（ｕｎｃｏｉｌ）ながら可動の構成要素２３が再び本体９内に動かされる。このため、可動の構成要素２３の材料は、可動の構成要素２３がその開始位置に達するまで、すなわち投与量が選択されていない状態になるまで、静電容量センサ２００のコンデンサプレート間の領域内に配置される。したがって、静電容量式センサ２００によって測定される静電容量は、排出中増大する。注射デバイス１０が用いられた後、静電容量式センサ２００によって測定される静電容量は、再びその開始値に達する。
【００６１】
プロセッサ２５は、測定された静電容量が２回目にその開始値に達する場合、注射が完了したと判定するように構成することができる（図４ｂにおいて「注射完了」として指定される）。プロセッサ２５は、注射中、連続して、静電容量測定値を注射デバイス１０の使用の開始時および投与量が選択される前に測定された静電容量と比較するように構成される。この測定された静電容量は、初期静電容量としてメインメモリ２６１に記憶される。測定された静電容量を記憶した後、プロセッサ２５は、注射中の静電容量測定の準備ができたことを示すフラグを設定することができる。次に、プロセッサ２５は、静電容量式センサ２００から連続して測定値を受信および処理する。プロセッサ２５が、たとえば測定静電容量の突然の増加を検出することによって、使用者が投薬ボタン１３を押したことを検出すると、各受信静電容量測定値を記憶された初期静電容量と比較することができる。プロセッサ２５が、静電容量の受信測定値が記憶された初期静電容量と相関することを検出すると、所定の保持時間に設定された内部タイマを開始する。プロセッサ２５は、同時に、注射の終了および休止時間の開始を使用者に通知するためのインジケーションを出力させることができる。インジケーションは、注射の終了および休止時間の開始に関する情報を表示するように表示ユニット２９を構成するための信号とすることができる。また、何らかの音響機器により音を生成することもできる。タイマが休止時間に達すると、プロセッサ２５は休止時間の終了を使用者に通知するための更なるインジケーションを出力させることができる。インジケーションは、休止時間の終了に関する情報を表示するように表示ユニット２９を構成するための信号とすることができる。また、ここでも、何らかの音響機器により音を生成することもできる。
【００６２】
静電容量式センサ２００は、外部電磁インパルスから静電容量式センサ２００を保護するために遮蔽することができる。
【００６３】
プロセッサ２５は、使用者の注射履歴を記録するように構成することができる。プロセッサ２５は、注射イベントに関連付けられたタイムスタンプを作成するための内部クロックを有することができる。クロックは相対クロックまたは絶対クロックとすることができる。注射デバイス１０は、無線ユニット２７を通じて外部デバイスと通信するように構成することができ、外部デバイスは絶対時間を提供することができる。
【００６４】
上記で説明したように、使用者が注射を実行するとき、これは静電容量式センサ２００によって検出することができる。次に、プロセッサ２５によって、注射に関連付けられたタイムスタンプを生成することができる。プロセッサ２５はまた、たとえば以前に読み出された情報を用いて、注射される薬剤のタイプを記録し、タイムスタンプと関連付けることができる。使用者の保有する外部デバイス（図示せず）を登録し、注射デバイス１０と関連付けることができる。外部デバイスは、無線ユニット２７を介したモバイルコンピュータまたはスマートフォンとすることができる。モバイルコンピュータまたはスマートフォンは、使用者の医療記録および注射履歴を管理するためにコンピュータプログラムを実行することができる。注射デバイス１０は、記録された注射情報を外部デバイスに通信するように構成することができる。
【００６５】
プロセッサ２５は、使用者が注射を実行するべき頻度に関する情報を用いて予めプログラミングすることができる。このプログラミングは、注射デバイス１０の使用者に関連付けられた注射間の最大時間または医療計画の形態をとることができる。たとえば、プロセッサ２５には、注射間の最大時間が２４時間であるべきことを指定する情報を予めプログラミングすることができる。いくつかの他の実施形態では、医療計画は、使用者が注射デバイス１０を用いて注射動作を実行する特定の時刻を指定するなど、より詳細にすることができる。代替的に、プロセッサ２５は、使用者が注射履歴に基づいて注射を次に実行するべき時点を計算するように構成することができる。たとえば、使用者が次の注射を実行するべき時点は、以前に注射された薬剤量および以前の注射の頻度に依拠することができる。プロセッサは、以前の注射履歴を用いて、使用者のための医療計画を計算することができる。
【００６６】
プロセッサ２５は、使用者が後続の注射を実行する時点であると判定したときき、無線ユニット２７を介して、関連付けられた外部デバイスにリマインダ信号が送信されるようにする。次に、外部デバイスは、使用者の次の注射が予定されていることを使用者に通知し思い出させることができる。これは、使用者が注射デバイス１０を携行したくない場合があり、しかしいずれの場合にもスマートフォンまたは同様のデバイスを携帯している場合があるため、有利である。このため、使用者に、携行している別個のデバイスを介して後続の注射の必要性を思い出させることができる。更に、注射デバイス１０は、冷蔵庫または冷凍庫内などの特定の条件下に保持される必要があり、それによって使用者が注射デバイスを携行することが不可能である場合がある。したがって、使用者が、注射が実行される必要がある時点を忘れることが容易に起こる。
【００６７】
糖尿病の使用者のためのインスリンに関する上記の例は例示的なものである。本開示は、健康を損なった場合がある任意の使用者にも適用可能である。たとえば、心臓血管の医薬品を要する患者、またはＣＯＸ−２阻害剤などの鎮痛剤を要する患者である。
【００６８】
「薬物」または「薬剤」という用語は、本明細書では同義的に用いられ、１つもしくはそれ以上の活性医薬成分またはそれらの薬学的に許容可能な塩もしくは溶媒和物と、場合により薬学的に許容可能な担体と、を含む医薬製剤を記述する。活性医薬成分（「ＡＰＩ」）とは、最広義には、ヒトまたは動物に対して生物学的効果を有する化学構造体のことである。薬理学では、薬剤または医薬は、疾患の治療、治癒、予防、または診断に使用されるか、さもなければ身体的または精神的なウェルビーイングを向上させるために使用される。薬物または薬剤は、限定された継続期間で、または慢性障害では定期的に使用可能である。
【００６９】
以下に記載されるように、薬物または薬剤は、１つもしくはそれ以上の疾患の治療のために各種タイプの製剤中に少なくとも１つのＡＰＩまたはその組合せを含みうる。ＡＰＩの例としては、５００Ｄａ以下の分子量を有する低分子、ポリペプチド、ペプチド、およびタンパク質（たとえば、ホルモン、成長因子、抗体、抗体フラグメント、および酵素）、炭水化物および多糖、ならびに核酸、二本鎖または一本鎖ＤＮＡ（ネイキッドおよびｃＤＮＡを含む）、ＲＮＡ、アンチセンス核酸たとえばアンチセンスＤＮＡおよびＲＮＡ、低分子干渉ＲＮＡ（ｓｉＲＮＡ）、リボザイム、遺伝子、およびオリゴヌクレオチドが挙げられうる。核酸は、ベクター、プラスミド、またはリポソームなどの分子送達システムに取り込み可能である。１つまたはそれ以上の薬物の混合物も企図される。
【００７０】
薬物または薬剤は、薬物送達デバイスでの使用に適合化された一次パッケージまたは「薬物容器」に包含可能である。薬物容器は、たとえば、１つもしくはそれ以上の薬物の収納（たとえば、短期または長期の収納）に好適なチャンバを提供するように構成されたカートリッジ、シリンジ、リザーバ、または他の硬性もしくは可撓性のベッセルでありうる。たとえば、いくつかの場合には、チャンバは、少なくとも１日間（たとえば、１日間〜少なくとも３０日間）にわたり薬物を収納するように設計可能である。いくつかの場合には、チャンバは、約１カ月〜約２年間にわたり薬物を収納するように設計可能である。収納は、室温（たとえば、約２０℃）または冷蔵温度（たとえば、約−４℃〜約４℃）で行うことが可能である。いくつかの場合には、薬物容器は、投与される医薬製剤の２つ以上の成分（たとえば、ＡＰＩと希釈剤、または２つの異なる薬物）を各チャンバに１つずつ個別に収納するように構成されたデュアルチャンバカートリッジでありうるか、またはそれを含みうる。かかる場合には、デュアルチャンバカートリッジの２つのチャンバは、人体もしくは動物体への投薬前および／または投薬中に２つ以上の成分間の混合が可能になるように構成可能である。たとえば、２つのチャンバは、互いに流体連通するように（たとえば、２つのチャンバ間の導管を介して）かつ所望により投薬前にユーザによる２つの成分の混合が可能になるように構成可能である。代替的または追加的に、２つのチャンバは、人体または動物体への成分の投薬時に混合が可能になるように構成可能である。
【００７１】
本明細書に記載の薬物送達デバイスに含まれる薬物または薬剤は、多くの異なるタイプの医学的障害の治療および／または予防のために使用可能である。障害の例としては、たとえば、糖尿病または糖尿病に伴う合併症たとえば糖尿病性網膜症、血栓塞栓障害たとえば深部静脈血栓塞栓症または肺血栓塞栓症が挙げられる。障害の更なる例は、急性冠症候群（ＡＣＳ）、アンギナ、心筋梗塞、癌、黄斑変性、炎症、枯草熱、アテローム硬化症および／または関節リウマチである。ＡＰＩおよび薬物の例は、ローテリステ２０１４年（Ｒｏｔｅ  Ｌｉｓｔｅ  ２０１４）（たとえば、限定されるものではないがメイングループ１２（抗糖尿病薬剤）または８６（オンコロジー薬剤））やメルク・インデックス第１５版（Ｍｅｒｃｋ  Ｉｎｄｅｘ，１５ｔｈ  ｅｄｉｔｉｏｎ）などのハンドブックに記載されているものである。
【００７２】
１型もしくは２型糖尿病または１型もしくは２型糖尿病に伴う合併症の治療および／または予防のためのＡＰＩの例としては、インスリン、たとえば、ヒトインスリン、もしくはヒトインスリンアナログもしくは誘導体、グルカゴン様ペプチド（ＧＬＰ−１）、ＧＬＰ−１アナログもしくはＧＬＰ−１レセプターアゴニスト、はそのアナログもしくは誘導体、ジペプチジルペプチダーゼ−４（ＤＰＰ４）阻害剤、またはそれらの薬学的に許容可能な塩もしくは溶媒和物、またはそれらのいずれかの混合物が挙げられる。本明細書で用いられる場合、「アナログ」および「誘導体」という用語は、天然に存在するペプチドに存在する少なくとも１つのアミノ酸残基の欠失および／または交換によりおよび／または少なくとも１つのアミノ酸残基の付加により天然に存在するペプチドの構造たとえばヒトインスリンの構造から形式的に誘導可能な分子構造を有するポリペプチドを指す。付加および／または交換アミノ酸残基は、コード可能アミノ酸残基または他の天然に存在する残基または純合成アミノ酸残基のどれかでありうる。インスリンアナログは、「インスリンレセプターリガンド」とも呼ばれる。特に、「誘導体」という用語は、天然に存在するペプチドの構造から形式的に誘導可能な分子構造、たとえば、１つまたはそれ以上の有機置換基（たとえば脂肪酸）がアミノ酸の１つまたはそれ以上に結合したヒトインスリンの分子構造を有するポリペプチドを指す。場合により、天然に存在するペプチドに存在する１つまたはそれ以上のアミノ酸が、欠失し、および／または非コード可能アミノ酸を含めて他のアミノ酸によって置き換えられ、または天然に存在するペプチドに非コード可能なものを含めてアミノ酸が付加される。
【００７３】
インスリンアナログの例は、Ｇｌｙ（Ａ２１）、Ａｒｇ（Ｂ３１）、Ａｒｇ（Ｂ３２）ヒトインスリン（インスリングラルギン）；Ｌｙｓ（Ｂ３）、Ｇｌｕ（Ｂ２９）ヒトインスリン（インスリングルリジン）；Ｌｙｓ（Ｂ２８）、Ｐｒｏ（Ｂ２９）ヒトインスリン（インスリンリスプロ）；Ａｓｐ（Ｂ２８）ヒトインスリン（インスリンアスパルト）；位置Ｂ２８のプロリンがＡｓｐ、Ｌｙｓ、Ｌｅｕ、ＶａｌまたはＡｌａに置き換えられたうえに位置Ｂ２９のＬｙｓがＰｒｏに置き換えられていてもよいヒトインスリン；Ａｌａ（Ｂ２６）ヒトインスリン；Ｄｅｓ（Ｂ２８〜Ｂ３０）ヒトインスリン；Ｄｅｓ（Ｂ２７）ヒトインスリンおよびＤｅｓ（Ｂ３０）ヒトインスリンである。
【００７４】
インスリン誘導体の例は、たとえば、Ｂ２９−Ｎ−ミリストイル−ｄｅｓ（Ｂ３０）ヒトインスリン、Ｌｙｓ（Ｂ２９）（Ｎ−テトラデカノイル）−ｄｅｓ（Ｂ３０）ヒトインスリン（インスリンデテミル、レベミル（Ｌｅｖｅｍｉｒ）（登録商標））；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−ガンマ−グルタミル）−ｄｅｓ（Ｂ３０）ヒトインスリン、Ｂ２９−Ｎ−オメガ−カルボキシペンタデカノイル−ガンマ−Ｌ−グルタミル−ｄｅｓ（Ｂ３０）ヒトインスリン（インスリンデグルデク、トレシーバ（Ｔｒｅｓｉｂａ）（登録商標））；Ｂ２９−Ｎ−（Ｎ−リトコリル−ガンマ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリンおよびＢ２９−Ｎ−（ω−カルボキシヘプタデカノイル）ヒトインスリンである。
【００７５】
ＧＬＰ−１、ＧＬＰ−１アナログおよびＧＬＰ−１レセプターアゴニストの例は、たとえば、リキシセナチド（リキスミア（Ｌｙｘｕｍｉａ）（登録商標））、エキセナチド（エキセンジン−４、バイエッタ（Ｂｙｅｔｔａ）（登録商標）、ビデュリオン（Ｂｙｄｕｒｅｏｎ）（登録商標）、ヒラモンスターの唾液腺により産生される３９アミノ酸ペプチド）、リラグルチド（ビクトーザ（Ｖｉｃｔｏｚａ）（登録商標））、セマグルチド、タスポグルチド、アルビグルチド（シンクリア（Ｓｙｎｃｒｉａ）（登録商標））、デュラグルチド（トルリシティ（Ｔｒｕｌｉｃｉｔｙ）（登録商標））、ｒエキセンジン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン、ＯＲＭＤ−０９０１、ＮＮ−９９２４、ＮＮ−９９２６、ＮＮ−９９２７、ノデキセン、ビアドール−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎである。
【００７６】
オリゴヌクレオチドの例は、たとえば、家族性高コレステロール血症の治療のためのコレステロール低下アンチセンス治療剤ミポメルセンナトリウム（キナムロ（Ｋｙｎａｍｒｏ）（登録商標））である。
【００７７】
ＤＰＰ４阻害剤の例は、ビダグリプチン、シタグリプチン、デナグリプチン、サキサグリプチン、ベルベリンである。
【００７８】
ホルモンの例としては、脳下垂体ホルモンもしくは視床下部ホルモンまたはレギュラトリー活性ペプチドおよびそれらのアンタゴニスト、たとえば、ゴナドトロピン（フォリトロピン、ルトロピン、コリオンゴナドトロピン、メノトロピン）、ソマトロピン（Ｓｏｍａｔｒｏｐｉｎｅ）（ソマトロピン（Ｓｏｍａｔｒｏｐｉｎ））、デスモプレシン、テルリプレシン、ゴナドレリン、トリプトレリン、リュープロレリン、ブセレリン、ナファレリン、およびゴセレリンが挙げられる。
【００７９】
多糖の例としては、グルコサミノグリカン、ヒアルロン酸、ヘパリン、低分子量ヘパリンもしくは超低分子量ヘパリンもしくはそれらの誘導体、もしくは硫酸化多糖たとえばポリ硫酸化形の上述した多糖、および／またはそれらの薬学的に許容可能な塩が挙げられる。ポリ硫酸化低分子量ヘパリンの薬学的に許容可能な塩の例は、エノキサパリンナトリウムである。ヒアルロン酸誘導体の例は、ハイランＧ−Ｆ２０（シンビスク（Ｓｙｎｖｉｓｃ）（登録商標））、ヒアルロン酸ナトリウムである。
【００８０】
本明細書で用いられる「抗体」という用語は、イムノグロブリン分子またはその抗原結合部分を指す。イムノグロブリン分子の抗原結合部分の例としては、抗原への結合能を保持するＦ（ａｂ）およびＦ（ａｂ’）２フラグメントが挙げられる。抗体は、ポリクローナル抗体、モノクローナル抗体、組換え抗体、キメラ抗体、脱免疫化もしくはヒト化抗体、完全ヒト抗体、非ヒト（たとえばネズミ）抗体、または一本鎖抗体でありうる。いくつかの実施形態では、抗体は、エフェクター機能を有するとともに補体を固定可能である。いくつかの実施形態では、抗体は、Ｆｃレセプターへの結合能が低減されているか、または結合能がない。たとえば、抗体は、Ｆｃレセプターへの結合を支援しない、たとえば、Ｆｃレセプター結合領域の突然変異もしくは欠失を有するアイソタイプもしくはサブタイプ、抗体フラグメントまたは突然変異体でありうる。抗体という用語は、４価二重特異的タンデムイムノグロブリン（ＴＢＴＩ）および／またはクロスオーバー結合領域配向を有する二重可変領域抗体様結合タンパク質（ＣＯＤＶ）に基づく抗原結合分子も含む。
【００８１】
「フラグメント」または「抗体フラグメント」という用語は、完全長抗体ポリペプチドを含まないが依然として抗原に結合可能な完全長抗体ポリペプチドの少なくとも一部分を含む抗体ポリペプチド分子由来のポリペプチド（たとえば、抗体重鎖および／または軽鎖ポリペプチド）を指す。抗体フラグメントは、完全長抗体ポリペプチドの切断部分を含みうるが、この用語は、かかる切断フラグメントに限定されるものではない。本開示に有用な抗体フラグメントとしては、たとえば、Ｆａｂフラグメント、Ｆ（ａｂ’）２フラグメント、ｓｃＦｖ（一本鎖Ｆｖ）フラグメント、線状抗体、単一特異的または多重特異的な抗体フラグメント、たとえば、二重特異的、三重特異的、四重特異的および多重特異的抗体（たとえば、ダイアボディ、トリアボディ、テトラボディ）、１価または多価抗体フラグメント、たとえば、２価、３価、４価および多価の抗体、ミニボディ、キレート化組換え抗体、トリボディまたはビボディ、イントラボディ、ナノボディ、小モジュール免疫医薬（ＳＭＩＰ）、結合ドメインイムノグロブリン融合タンパク質、ラクダ化抗体、およびＶＨＨ含有抗体が挙げられる。抗原結合抗体フラグメントの追加の例は当技術分野で公知である。
【００８２】
「相補性決定領域」または「ＣＤＲ」という用語は、特異的抗原認識を媒介する役割を主に担う、重鎖および軽鎖の両方のポリペプチドの可変領域内の短いポリペプチド配列を指す。「フレームワーク領域」という用語は、ＣＤＲ配列でないかつ抗原結合が可能になるようにＣＤＲ配列の適正配置を維持する役割を主に担う、重鎖および軽鎖の両方のポリペプチドの可変領域内のアミノ酸配列を指す。フレームワーク領域自体は、典型的には抗原結合に直接関与しないが、当技術分野で公知のように、ある特定の抗体のフレームワーク領域内のある特定の残基は、抗原結合に直接関与しうるか、またはＣＤＲ内の１つもしくはそれ以上のアミノ酸と抗原との相互作用能に影響を及ぼしうる。
【００８３】
抗体の例は、抗ＰＣＳＫ−９  ｍＡｂ（たとえば、アリロクマブ）、抗ＩＬ−６  ｍＡｂ（たとえば、サリルマブ）、および抗ＩＬ−４  ｍＡｂ（たとえば、デュピルマブ）である。
【００８４】
本明細書に記載のいずれのＡＰＩの薬学的に許容可能な塩も、薬物送達デバイスで薬物または薬剤に使用することが企図される。薬学的に許容可能な塩は、たとえば、酸付加塩および塩基性塩である。
【００８５】
本開示の完全な範囲および趣旨から逸脱することなく、本明細書に記載するＡＰＩ、定式化、装置、方法、システム、および実施形態の様々な構成要素に修正（追加および／または削除）を加えることができ、本開示は、そのような修正およびそのあらゆる均等物を包含することが、当業者には理解されよう。
【図１】
2021507769.tif 000003
【図２】
2021507769.tif 000004
【図３】
2021507769.tif 000005
【図４ａ】
2021507769.tif 000006
【図４ｂ】
2021507769.tif 000007
【国際調査報告】
2021507769.tif 000008
2021507769.tif 000009